(57)【要約】【課題】適正な照射角によるストロボ光の照射を行えるストロボ装置を提供する。【解決手段】ストロボ光の照射角を変更する照射角変更手段と、レンズの焦点距離情報とカメラのアパーチャサイズ情報をカメラとの通信により入力する情報入力手段Ｓ１０３，Ｓ１０４，Ｓ１０８，Ｓ１０９と、焦点距離情報とアパーチャサイズ情報とに基づいて照射角を変更するための第１の制御を行う第１の制御手段Ｓ１０９〜Ｓ１１４と、アパーチャサイズ情報によらず、焦点距離情報のみに基づいて照射角を変更するための第２の制御を行う第２の制御手段Ｓ１１１〜Ｓ１１４と、アパーチャサイズ情報に無縁な環境のときに第１の制御から切り替えて第２の制御を選択する照射角変更動作選択手段Ｓ１０８とを有する。【選択図】図５
2008185700.tif 000002
【特許請求の範囲】
【請求項１】
ストロボ光の照射角を変更する照射角変更手段と、
レンズの焦点距離情報とカメラのアパーチャサイズ情報をカメラとの通信により入力する情報入力手段と、
前記焦点距離情報と前記アパーチャサイズ情報とに基づいて前記照射角を変更するための第１の制御を行う第１の制御手段と、
前記アパーチャサイズ情報によらず、前記焦点距離情報のみに基づいて前記照射角を変更するための第２の制御を行う第２の制御手段と、
前記アパーチャサイズ情報に無縁な環境のときに前記第１の制御から切り替えて前記第２の制御を選択する照射角変更動作選択手段とを有することを特徴とするストロボ装置。
【請求項２】
前記焦点距離情報のみに基づいて前記照射角を変更するための第２の制御を行う場合には、前記アパーチャサイズ情報を基準値にすることを特徴とする請求項１に記載のストロボ装置。
【請求項３】
ストロボ光の照射角を変更する照射角変更手段と、
レンズの焦点距離情報とカメラのアパーチャサイズ情報をカメラとの通信により入力する情報入力手段と、
前記焦点距離情報と前記アパーチャサイズ情報とに基づいて前記照射角を変更するための自動ズーム動作制御を行う自動ズーム動作制御手段と、
手動操作に基づいて前記照射角を変更するための手動ズーム動作制御を行う手動ズーム動作制御手段と、
前記アパーチャサイズ情報に無縁な環境のときに前記自動ズーム動作制御から切り替えて前記手動ズーム動作制御を選択する照射角変更動作選択手段とを有することを特徴とするストロボ装置。
【請求項４】
前記アパーチャサイズ情報に無縁な環境とは、前記情報入力手段を介してカメラからの前記アパーチャサイズ情報が入力されていない状態であることを特徴とする請求項１ないし３のいずれかに記載のストロボ装置。
【請求項５】
前記アパーチャサイズ情報に無縁な環境とは、カメラとの間で定められた期間受信不能となっている状態であることを特徴とする請求項１ないし３のいずれかに記載のストロボ装置。
【請求項６】
前記アパーチャサイズ情報に無縁な環境とは、当該ストロボ装置単独で発光制御が可能な発光モードであることを特徴とする請求項１または２に記載のストロボ装置。
【請求項７】
前記アパーチャサイズ情報に無縁な環境とは、シンクロターミナルにシンクロコードが接続されている状態であることを特徴とする請求項１または２に記載のストロボ装置。
【請求項８】
前記アパーチャサイズ情報に無縁な環境とは、スレーブ発光動作を行うための機器が接続されている状態であることを特徴とする請求項１または２に記載のストロボ装置。
【請求項９】
前記手動ズーム動作制御手段は、手動ズームモードの選択が決定された後に、前記手動ズーム動作制御を開始することを特徴とする請求項３に記載のストロボ装置。
【請求項１０】
前記焦点距離情報を表示する表示手段を備えることを特徴とする請求項１ないし９のいずれかに記載のストロボ装置。
【発明の詳細な説明】
【技術分野】
【０００１】
本発明は、ストロボ光の照射角を変更可能にする機能を有するストロボ装置に関するものである。
【背景技術】
【０００２】
従来のストロボ装置において、撮影レンズの焦点距離、すなわち撮影画角に対応するように照射角を可変としたズームストロボが実用化されている。更には、カメラ側からストロボ装置に対して、装着された撮影レンズの焦点距離情報を出力し、その情報をもとにストロボ装置が照射角を最適な値に自動的に変更、設定するズームストロボも製品化されている。
【０００３】
ところで、レンズの焦点距離情報に基づいて照射角を最適な値に自動的に設定する場合、そのストロボ装置が装着されたカメラのフィルムもしくは撮像素子の画面サイズ（アパーチャサイズ）が必ず一定のものであれば照射角を一義的に設定することができる。しかしそうでない場合、すなわちアパーチャサイズが異なるカメラに装着し得るストロボ装置の場合は、単に撮影レンズの焦点距離情報に基づいてのみ照射角を設定しようとしても最適な値に設定できなくなる。
【０００４】
ストロボ装置の照射角は撮影画角に応じて決められるべきものであるから、アパーチャサイズが異なるカメラに装着し得るストロボ装置の場合には、撮影レンズの焦点距離情報にのみに基づいていたのでは照射角を最適な値には設定できない。
【０００５】
このため、撮影レンズの焦点距離情報とカメラのアパーチャサイズ情報をもとに、ストロボの照射角の調整するものがある（例えば、特許文献１）。
【０００６】
また、カメラからアパーチャサイズ情報を、基準となるアパーチャサイズとの倍率として送信し、ステップ的に照射角を設定するものもある（例えば、特許文献２）。
【０００７】
また、カメラに装着されたストロボ装置をマスターストロボとし、他のストロボ装置をスレーブストロボとする。そして、マスターストロボからの送信信号でスレーブストロボの光量調整を行い、被写体に対して適切なストロボ撮影を行えるようにしたシステムが知られており、一般にワイヤレス多灯システムと呼ばれている。このワイヤレス多灯システムでは、スレーブストロボの照射角は被写体に光がよく当たるように広角側に設定することが望めましいため、スレーブモード時には広角側に設定される。ところが、マスターストロボをカメラから外してスレーブストロボとして使用する場合、前回の設定を解除できず、前回の照射角の設定が残っていることがある。このため、撮影者の意図する配光角に設定することができなかった。よって、スレーブモード時には、撮影レンズの焦点距離情報とカメラのアパーチャサイズ情報をもとにストロボの照射角の調整を行うことを止め、他のストロボ装置の指令に基づいて制御するものもある（例えば、特許文献３）。
【０００８】
また、ストロボ装置が対応可能な撮影レンズの焦点距離を、撮影レンズの焦点距離を設定する前に認識できるように、ストロボ照射可能な最大照射角に基づいてストロボ装置が対応可能な撮影レンズの焦点距離を表示するものもある。
【特許文献１】特開平８−６１２０号公報
【特許文献２】特開２００５−２８４０９５号公報
【特許文献３】特開２００５−２８４０９６号公報
【発明の開示】
【発明が解決しようとする課題】
【０００９】
上記特許文献１及び２では、撮影レンズの焦点距離情報とアパーチャサイズ情報とをカメラからストロボ装置に送信して適正なストロボ照射角（配光角）を設定するのである。しかし、カメラとストロボ装置の間で適正な通信ができない、もしくは、カメラからストロボ装置が外されて上記情報がストロボ装置に入力されない状態が生じた場合、該状態が起こる直前の情報が保持され、適正なストロボ照射角を設定できない。
【００１０】
また、上記特許文献３のストロボ装置は、ストロボ装置単独に受光回路を持ち、カメラの絞り、フィルム感度の設定を行える。このストロボ装置が、適正光量になるように制御するマニュアル外部調光の発光制御手段とＸ接点に同期するシンクロターミナル接続回路を有するものとする。この場合、ストロボ装置のシンクロターミナル接続回路にシンクロコードもしくはスレーブ制御機器がつながれたとき、適正なストロボ照射角を設定できない。
【００１１】
さらに、カメラとストロボ装置の間で適正な通信ができない、もしくは、カメラからストロボ装置が外された場合、表示が上記状態前の情報のためにズーム位置が適正でないことを撮影者に知らせることができない。そのため、本来のストロボ照射角より狭くなり、撮影した画像の周辺が暗くなってしまうという課題を有していた。
【００１２】
（発明の目的）
本発明の目的は、適正な照射角によるストロボ光の照射を行うことのできるストロボ装置を提供しようとするものである。
【課題を解決するための手段】
【００１３】
上記目的を達成するために、本発明は、ストロボ光の照射角を変更する照射角変更手段と、レンズの焦点距離情報とカメラのアパーチャサイズ情報をカメラとの通信により入力する情報入力手段と、前記焦点距離情報と前記アパーチャサイズ情報とに基づいて前記照射角を変更するための第１の制御を行う第１の制御手段と、前記アパーチャサイズ情報によらず、前記焦点距離情報のみに基づいて前記照射角を変更するための第２の制御を行う第２の制御手段と、前記アパーチャサイズ情報に無縁な環境のときに前記第１の制御から切り替えて前記第２の制御を選択する照射角変更動作選択手段とを有するストロボ装置とするものである。
【００１４】
同じく上記目的を達成するために、本発明は、ストロボ光の照射角を変更する照射角変更手段と、レンズの焦点距離情報とカメラのアパーチャサイズ情報をカメラとの通信により入力する情報入力手段と、前記焦点距離情報と前記アパーチャサイズ情報とに基づいて前記照射角を変更するための自動ズーム動作制御を行う自動ズーム動作制御手段と、手動操作に基づいて前記照射角を変更するための手動ズーム動作制御を行う手動ズーム動作制御手段と、前記アパーチャサイズ情報に無縁な環境のときに前記自動ズーム動作制御から切り替えて前記手動ズーム動作制御を選択する照射角変更動作選択手段とを有するストロボ装置とするものである。
【発明の効果】
【００１５】
本発明によれば、適正な照射角によるストロボ光の照射を行うことができるストロボ装置を提供しようとするものである。
【発明を実施するための最良の形態】
【００１６】
本発明を実施するための最良の形態は、以下の実施例１ないし８に示す通りである。
【実施例１】
【００１７】
図１は本発明の実施例１に係るカメラシステム（カメラ及び該カメラに装着されるストロボ装置から成る）の概略構成を示す図であり、１はストロボ装置、２はカメラ、３はレンズである。
【００１８】
まず、カメラ２に対して着脱可能なストロボ装置１の構成について説明する。ストロボ装置１は、集光レンズ４、例えばキセノン管などによる発光素子５、不図示の電池の電圧を発光素子５の発光に必要な電圧レベルにまで昇圧する昇圧回路６を有する。さらに、ＬＣＤやＬＥＤ等のストロボの設定状態を示す表示器７、集光レンズ４を移動させて照射光の照射角を移動させて変更させるための照射角調整用モータ８を有する。さらには、上記の昇圧回路６、表示器７及び照射角調整用モータ８等が接続され、これらを所定のプログラムに従って制御するストロボ制御用マイクロコンピュータ（以下、ＦＰＵ）９を有する。
【００１９】
ＦＰＵ９は、例えばＣＰＵ、ＲＯＭ、ＲＡＭ、入出力制御回路（Ｉ／Ｏコントロール回路）、マルチプレクサ、タイマ回路等を含むマイコン内蔵ワンチップＩＣ回路構成となっている。そして、カメラシステムの制御をソフトウェアで行えるもので、各種の条件判定を行う。なお、これに後述のＥＥＰＲＯＭ１０を内蔵させてもよい。
【００２０】
１０はＦＰＵ９に接続されたＥＥＰＲＯＭ（電気的にデータを消去・書き込みできるＲＯＭ）である。このＥＥＰＲＯＭ１０にはストロボ動作に必要な設定情報が書き込まれる。これは電源をオフしても記憶している不揮発性メモリである。
【００２１】
２４はスイッチ回路であり、ＦＰＵ９に接続されてストロボ装置１の各種設定を行う。詳細は図１３に示す。２５は外部調光の受光回路であり、図１３のスイッチ回路２４内のスイッチＭＯＤＥ＿ＳＷによりオート外部調光が設定された場合、カメラ２から送られたカメラの絞り、フィルム感度の設定の送信信号を受信してＦＰＵ９が発光処理する。上記スイッチＭＯＤＥ＿ＳＷによりマニュアル外部調光が設定された場合、カメラの絞り、フィルム感度の設定を図１３のスイッチ回路２４内のスイッチＡＶ−ＩＳＯ＿ＳＥＴ＿ＳＷで設定を行い、適正光量になるように制御するようにＦＰＵ９が発光処理する。
【００２２】
２６はシンクロターミナル接続回路であり、公知の発光の同期（例えばＸ接点の同期）を取るためのシンクロコードを接続するターミナルである。そして、ＦＰＵ９と接続されているだけではなく、図１３のようにＰＣコードが接続されたことをシンクロ検出スイッチで検出して、ＦＰＵ９に信号を送るように接続されている。
【００２３】
２７は外部ストロボアクセサリーインターフェース回路であり、例えばスレーブ発光動作を行うための機器を接続してスレーブの制御を行うためのものである。そして、スレーブ発光動作を行うための機器が接続されると、ＥＸＴＯＮ＿ＳＷがオンして、ＦＰＵ９が接続を検出する。
【００２４】
次に、カメラ２の構成について説明する。カメラ２は、ペンタプリズム１１、フォーカシングスクリーン１２、主ミラー１３、サブミラー１４を備える光学系や露出制御用に被写体の輝度情報を得るための光電変換素子（ＳＰＤ）１５を有する。さらには、ストロボ装置１の発光量を制御するために撮像面１６の光量情報を得るための光電変換素子（ＳＰＤ）１７、サブミラー１４、当該サブミラー１４からの光束を入力されて被写体のデフォーカス情報を得るための測距用光電変換素子１８を有する。さらには、測距用光電変換素子１８の各センサ素子とこれらのセンサ素子からの情報を入力されてカメラの各部のメカニズム（不図示）の動作等を所定のプログラムに従って制御するカメラ制御用マイクロコンピュータ（以下、ＣＣＰＵ）１９を有する。
【００２５】
次に、撮影レンズ３の構成について説明する。撮影レンズ３は、フォーカスレンズ群を駆動してピントの調整を行わせるためのフォーカスレンズ駆動用モータ２０、絞り駆動用モータ２１を有する。さらには、ズーム操作がなされた場合に撮影レンズ３の焦点距離情報を知るためのズームエンコーダ２２を有する。さらには、フォーカスレンズ駆動用モータ２０と絞り駆動用モータ２１との動作を所定のプログラムに従って制御し、ズームエンコーダ２２からの情報が入力されるレンズ制御用マイクロコンピュータ（以下、ＬＰＵ）２３を有する。
【００２６】
尚、ＦＰＵ９とＣＣＰＵ１９とＬＰＵ２３とは通信ラインＳＣによって結線されており、ＣＣＰＵ１９をホストとしてデータの交換やコマンドの伝達を相互に行う。
【００２７】
図２は、ストロボ装置１に具備された表示器７による表示内容を示す図である。
【００２８】
図２において、１０１は撮影レンズ３の焦点距離情報をもとにストロボ装置１内で設定された照射角に対応した焦点距離情報を表示するための、例えば３桁の７セグメント群である。１０２はカメラのアパーチャサイズ情報に基づいて点灯表示されるセグメントである。１０３はカメラ２より自動的にストロボズームを動作させる“ＡＵＴＯ”とストロボ単体でズーム位置を決める手動ズームモードの“Ｍ”を表示させるセグメントである。１０４はＥＥＰＲＯＭ１０で書き込まれた特定のストロボ設定を記憶するカスタムファンクションの表示をさせるセグメントである。１０６はレンズ３の絞り値を表示させるセグメント、１０７はカメラのＩＳＯ感度を表示させるセグメントである。１０８はオート外部調光時には“Ｅ”を表示させ、マニュアル外部調光時には“ＥＭ”を表示させるセグメントである。
【００２９】
図１３は、ＦＰＵ９に接続される、スイッチ回路２４、シンクロターミナル接続回路２６、外部ストロボアクセサリーインターフェース回路２７の詳細図である。
【００３０】
スイッチ回路２４はＦＰＵ９に接続されており、該スイッチ回路２４には、例えば、レリーズ釦の第１ストロークでオンするスイッチＳＷ１、レリーズ釦の第２ストロークでオンするスイッチＳＷ２が含まれる。さらに、オート外部調光、マニュアル外部調光、ＴＴＬオート調光、評価調光等のストロボ発光モードの選択を行うスイッチＭＯＤＥ＿ＳＷ、その選択を決定するためのスイッチＳＥＬ−ＳＥＴ＿ＳＷが含まれる。さらに、任意の手動ズーム位置に設定を行うためのスイッチＭ−ＺＯＯＭ＿ＳＷ、スイッチＭＯＤＥ＿ＳＷによりマニュアル外部調光が設定された場合のカメラの絞り、フィルム感度の設定を行うためのスイッチＡＶ−ＩＳＯ＿ＳＥＴ＿ＳＷが含まれる。さらに、カメラ２のアパーチャサイズ情報を入力し、焦点距離情報とアパーチャサイズ情報とに基づいて照射角を設定する通常モードを解除するか否かを選択するスイッチＳＷ３が設けられている。なお、初期はアパーチャサイズ情報を用いて照射角を設定する通常モードに設定されている。
【００３１】
シンクロターミナル接続回路２６には、シンクロコード１００の信号ラインがＦＰＵ９に接続される。また、シンクロコード１００が接続されるとオンするスイッチシンクロターミナル検出＿ＳＷが設けられている。このスイッチシンクロターミナル検出＿ＳＷは、機構的に押されるスイッチでも良いし、電気的に接続を検出するスイッチでもよい。
【００３２】
外部ストロボアクセサリーインターフェース回路２７には、外部アクセサリーの信号ラインがＦＰＵ９に接続される。また、外部アクセサリー（例えば、スレーブ発光動作を制御する機器（以下、スレーブ制御機器１０１））が接続されるとオンするスイッチＥＸＴＯＮ＿ＳＷが設けられている。このスイッチＥＸＴＯＮ＿ＳＷは、機構的に押されるスイッチでも良いし、電気的に接続を検出するスイッチでもよい。
【００３３】
ＦＰＵ９は、上記各スイッチがオンすることで各種の設定があったことを判定する。
【００３４】
スレーブ制御機器１０１は、シンクロターミナル接続回路２６経由で接続されるシンクロコード付きのスレーブ制御機器であってもよい。
【００３５】
図１４は、簡易的なワイヤレスのシステムを示した図である。
【００３６】
このシステムでは、カメラに装着されたストロボ装置１をマスターストロボとし、スレーブ制御機器１０１−１が接続された他のストロボ装置２００、スレーブ制御機器１０１−２が接続されたストロボ装置３００をスレーブストロボとして設置している。そして、マスターストロボからの発光信号でストロボ装置２００、ストロボ装置３００のスレーブ制御機器１０１−１，１０１−２によりマスターストロボ発光の同期を取る。そして、スレーブストロボ発光を行い、被写体４００に対して適切なストロボ撮影を行えるように構成されている。
【００３７】
次に、ＣＣＰＵ１９の具体的な動作について、図３及び図４のフローチャートに従って説明する。
【００３８】
不図示の電源スイッチがオンされてカメラ２内のＣＣＰＵ１９が動作可能となると、ＣＣＰＵ１９は、図３のステップＳ１から所定の動作を開始する。まず、ステップＳ１では、ＣＣＰＵ１９自身のメモリやポートの初期化を行う。次のステップＳ２では、図１３に示したスイッチ回路２４内のスイッチＳＷ１がオンされるのを待つ。スイッチＳＷ１がオンされるとステップＳ３へ進み、ＣＣＰＵ１９は撮影レンズ３内のＬＰＵ２３と通信ラインＳＣを介して通信を行う。そして、撮影レンズ３の焦点距離情報（以下、レンズの焦点距離情報）や測距、測光に必要な光学情報を取得する。
【００３９】
次のステップＳ４では、カメラ２にストロボ装置１が装着されているかどうかをチェックする。カメラ２にストロボ装置１が装着されているならばステップＳ５へ進み、未装着ならばステップＳ７へ進む。
【００４０】
カメラ２にストロボ装置１が装着されているとしてステップＳ５へ進むと、ＣＣＰＵ１９はＦＰＵ９と通信ラインＳＣを介して通信を行い、上記ステップＳ３にて取得したレンズの焦点距離情報をＦＰＵ９に出力する。次のステップＳ６では、ＦＰＵ９と通信ラインＳＣを介して通信を行い、ＣＣＰＵ１９自身のメモリ内に格納されているカメラのアパーチャサイズ情報をＦＰＵ９に出力する。カメラのアパーチャサイズ情報は、例えば、フィルムサイズの「１３５サイズ」（画面サイズが３６×２４ｍｍのフォーマット）に対しての倍率データである。その後、ステップＳ７へ進む。
【００４１】
ステップＳ７では、測距用光電変換素子１８からの測距信号を入力して被写体のデフォーカス情報を取得する。次のステップＳ８では、上記ステップＳ７にて得られた被写体のデフォーカス情報をもとにフォーカスレンズの駆動量を算出し、これを通信ラインＳＣを介してＬＰＵ２３に出力してフォーカスレンズの駆動を指令する。これにより、撮影レンズ３に含まれるフォーカスレンズは合焦状態になる。続くステップＳ９では、被写体の輝度情報を得るために光電変換素子１５の測光出力を入力する。
【００４２】
ステップＳ１０では、ＦＰＵ９が充電完了信号を出力しているかどうかをチェックする。ここで、ＦＰＵ９が充電完了信号を出力しているならばステップＳ１１へ進み、出力していなければステップＳ１２へ進む。なお、このステップＳ１０におけるＦＰＵ９が充電完了信号を出力しているかどうかの判定結果は、後のステップで用いるので記憶しておく。
【００４３】
ステップＳ１１へ進むと、ストロボ撮影を行うために適したシャッタ速度（Ｔｖ）と絞り値（Ａｖ）とを上記ステップＳ９にて得られた測光出力をもとに決定する。また、ステップＳ１２へ進むと、自然光撮影を行うために適したシャッタ速度（Ｔｖ）と絞り値（Ａｖ）とを上記ステップＳ９にて得られた測光出力をもとに決定する。上記ステップＳ１１又はステップＳ１２の処理が実行されると、いずれの場合もステップＳ１３へ進む。
【００４４】
ステップＳ１３では、図１３に示されるスイッチ回路２４内のスイッチＳＷ２がオンされているかどうかをチェックし、オフであるならばステップＳ２へ戻って上記した各ステップを繰り返す。一方、オンされていれば、図４のステップＳ１４へ進む。
【００４５】
スイッチＳＷ２がオンされたとして図４のステップＳ１４へ進むと、不図示のモータを駆動して主ミラー１３、サブミラー１４をアップさせる。そして、次のステップＳ１５にて、上記ステップＳ１１又はステップＳ１２にて決定された絞り値の情報を通信ラインＳＣを介してＬＰＵ２３に出力し、絞りの駆動を指令する。これにより、絞り込みの動作が行われる。続くステップＳ１６では、シャッタの先幕を走行させる。これにより露光が開始される。そして、ステップＳ１７にて、上記ステップＳ１１又はステップＳ１２にて決定されたシャッタ速度の情報をもとにシャッタの開放時間のカウントを開始する。
【００４６】
ステップＳ１８では、上記ステップＳ１０にて記憶した判定結果により、ＦＰＵ９が充電完了信号を出力してフラッシュ撮影（ストロボ撮影）可能かどうかをチェックする。この結果、フラッシュ撮影が可能な状態であればステップＳ１９へ進む。なお、上記ステップＳ１８での判定結果、ＦＰＵ９は充電完了信号を出力しておらず、フラッシュ撮影は行わない場合には、ステップＳ１８からステップＳ２７へと進む。
【００４７】
ステップＳ１９へ進むと、通信ラインＳＣを介して通信を行い、ストロボの発光開始用信号（発光トリガ信号）をＦＰＵ９に出力する。これにより、ストロボの発光が開始される。次のステップＳ２０では、撮像面１６の光量情報を得るために光電変換素子１７の出力信号をモニタして、ストロボの発光量が十分なレベルに達したか（調光信号が入力したか）どうかをチェックする。この結果、ストロボの発光量が十分なレベルに達していればステップＳ２１へと進む。続くステップＳ２１では、通信ラインＳＣを介して通信を行い、ストロボの発光停止信号をＦＰＵ９に出力する。これにより、ストロボの発光が停止される。尚、上記ステップＳ２０においてストロボの発光量が十分なレベルに達していなかった場合には、ステップＳ２１での処理は行わずにステップＳ２２へと進む。
【００４８】
ステップＳ２２では、上記ステップＳ１７にて開始したシャッタの開放時間のカウントが終了したかどうかをチェックし、時間のカウントが終了していればステップＳ２３へ進む。時間のカウントが終了していなければステップＳ２０に戻り、上記したステップを繰り返す。ステップＳ２３へ進むと、シャッタの後幕を走行させる。これによって露光が終了する。次のステップＳ２４では、通信ラインＳＣを介してＬＰＵ２３と通信して絞りを開放にするように指令する。続くステップＳ２５では、不図示のモータを駆動して主ミラー１３、サブミラー１４をダウンさせるとともに、シャッタをチャージする。そして、ステップＳ２６にて、画像処理あるいは不図示のモータを駆動してフィルムの巻き上げを行う。
【００４９】
この後、図３のステップＳ１へ戻って、上記したステップを繰り返す。
【００５０】
上記ステップＳ１８にて充電完了信号を出力しておらず、フラッシュ撮影でないと判定した場合は上記のようにステップＳ２７へ進む。そして、ここでは上記ステップＳ１７にて開始したシャッタの開放時間のカウントが終了したかどうかをチェックし、時間のカウントが終了しているならばステップＳ２３に進み、そうでなければカウントの終了を待つ。
【００５１】
以上の処理はフィルムを使っても、フィルムの代わりに電子撮像素子（ＣＣＤ，ＣＭＯＳ）を使っても同様である。電子撮像素子を使うカメラの場合、ステップＳ２６のモータによる巻き上げ動作の代わりに、取り込み画像の処理を行うことになる。
【００５２】
続いて、ストロボ装置１内のＦＰＵ９での具体的な動作（ストロボ制御動作）について、図５のフローチャートに従って説明する。
【００５３】
不図示の電源スイッチがオンされてＦＰＵ９が動作可能となると、当該ＦＰＵ９はステップＳ１０１より所定の動作を開始する。まず、ステップＳ１０１では、ＦＰＵ９自身のメモリやポートの初期化を行う。このとき、ＣＣＰＵ１９から取得して自身のメモリ内に記憶するアパーチャサイズ情報（倍率情報）とレンズの焦点距離情報は、以下のように記憶する。つまり、常用値、例えばアパーチャサイズ情報として１３５サイズの１倍、レンズの焦点距離情報として５０ｍｍといった値をとりあえず記憶する。詳細は後述する。
【００５４】
次のステップＳ１０２では、昇圧回路６を動作開始させて発光の準備を行う。そして、次のステップＳ１０３にて、ＣＣＰＵ１９から通信ラインＳＣを介してレンズの焦点距離情報を取得したかどうかをチェックし、レンズの焦点距離情報を取得していればステップＳ１０４へ進む。尚、上記ステップＳ１０３にてレンズの焦点距離情報を取得していなかった場合には、ステップＳ１０４，Ｓ１０５での処理は行わずにステップＳ１０６へ進む。
【００５５】
ステップＳ１０４では、ＣＣＰＵ１９から送信されたレンズの焦点距離情報を自身のメモリ内に記憶（格納）する。また、これ以前にレンズの焦点距離情報を自身のメモリ内に記憶していたならば、記憶内容を更新する。次のステップＳ１０５では、自身のメモリ内に記憶されたレンズの焦点距離情報を表示器７に表示する。ここでは、図２の焦点距離情報を７セグメント群１０１に表示する。このとき、照射角調整用モータ８は駆動しない（ズーム動作はしない）。そして、ステップＳ１０７へ進む。
【００５６】
上記ステップＳ１０３にてレンズの焦点距離情報を取得していなかった場合はステップＳ１０６へ進み、直前のレンズの焦点距離情報を保持する。その後はステップＳ１０７へ進む。
【００５７】
ステップＳ１０７では、アパーチャサイズ情報に基づいてストロボ光の照射角を制御するモードであるかそれを解除しているかを、図１３に示されるスイッチ回路２４内のスイッチＳＷ３のオン、オフで判定する。オンしている場合は解除されているので直ちにステップＳ１１３へ進み、オフであれば解除されていないためにステップＳ１０８へ進む。
【００５８】
ステップＳ１０８では、ＣＣＰＵ１９から通信ラインＳＣを介してカメラのアパーチャサイズ情報（基準となるアパーチャサイズに対する倍率の情報）が送信されたかどうかをチェックする。カメラのアパーチャサイズ情報が送信されていればステップＳ１０９へ進む。ステップＳ１０９へ進むと、ＣＣＰＵ１９から送信されたアパーチャサイズ情報を自身のメモリ内に記憶する。また、これ以前にアパーチャサイズ情報を自身のメモリ内に記憶していたならば、記憶内容を更新する。そして、次のステップＳ１１０にて、自身のメモリ内に記憶されたアパーチャサイズ情報を表示器７に表示する。ここでは、例えば、アパーチャサイズ情報が１倍以外の場合は図２のセグメント１０２に示すようにアパーチャサイズに応じたズーム動作を行っていることがわかる表示を行う（マーク点灯）。そして、ステップＳ１１３へ進む。
【００５９】
上記ステップＳ１０８にてカメラのアパーチャサイズ情報が送信されていなかった場合はステップＳ１１１へ進み、ここでは、アパーチャサイズ情報（倍率情報）を１倍にして自身のメモリ内に記憶する。そして、次のステップＳ１１２にて、表示器７にアパーチャサイズに応じたズーム動作を行っていないことの警告表示を行う（ここでは例えばマーク消灯）。その後はステップＳ１１３へ進む。
【００６０】
ステップＳ１１３では、自身のメモリ内に記憶されたカメラのアパーチャサイズ情報とレンズの焦点距離情報とに基づいて最適なストロボ照射角のポジションを選定する。ストロボ照射角のポジションを選定する方法の一例として、ＦＰＵ９による以下の演算方法がある。
【００６１】
仮にストロボ光の照射角のポジションが７ポジション選択可能であるとする。そして、“ポジション１”では、１３５サイズでの２４ｍｍレンズの画角をカバーする照射角とする。“ポジション２”では、１３５サイズでの２８ｍｍレンズの画角をカバーする照射角とし、“ポジション３”では、１３５サイズでの３５ｍｍレンズの画角をカバーする照射角とする。“ポジション４”では、１３５サイズでの５０ｍｍレンズの画角をカバーする照射角とし、“ポジション５”では、１３５サイズでの７０ｍｍレンズの画角をカバーする照射角とする。また、“ポジション６”では、１３５サイズでの８０ｍｍレンズの画角をカバーする照射角とし、“ポジション７”では“１３５サイズ”での１０５ｍｍレンズの画角をカバーする照射角とする。そして、各照射角とした場合に、基準のアパーチャサイズに応じた倍率とレンズの焦点距離の演算を行い、どの照射角のポジションを選択すれば良いかを決める。
【００６２】
これは、（焦点距離×倍率）の演算が１３５サイズのレンズ焦点距離の中間にきた場合、広角側を選択するようにする。例えば、レンズの焦点距離が１３５サイズ基準で２４ｍｍが選択され、アパーチャサイズ情報（倍率情報）が１．６倍の情報が送られるとする。この場合の演算では、２４×１．６＝３８．４となり、１３５サイズ基準の３５ｍｍと１３５サイズ基準の５０ｍｍのズーム位置の中間にくるが、このときは広角側の３５ｍｍを選択する。
【００６３】
このように演算に基づいて、アパーチャサイズ情報（倍率情報）とレンズの焦点距離情報とに基づいて最適なストロボ照射角のポジションを選定することができる。
【００６４】
図５に戻り、次のステップＳ１１４では、ストロボ光の照射角が上記ステップＳ１１３にて選定された照射角のポジションになるように照射角調整用モータ８を駆動する。次のステップＳ１１５では、昇圧した電圧が発光素子５の発光に必要な電圧レベルにまで達したか（充電完了か）どうかを判定し、発光素子５の発光に必要な電圧レベルにまで達していると判定した場合にはステップＳ１１６に進む。上記ステップＳ１１５にて昇圧回路６が昇圧した電圧が発光素子５の発光に必要な電圧レベルにまで達していないと判定した場合には、ステップＳ１２２へ進む。
【００６５】
ステップＳ１１６へ進むと、充電完了信号を出力してストロボの発光準備ができたことをＣＣＰＵ１９に知らせる。そして、次のステップＳ１１７にて、ＣＣＰＵ１９より発光開始用信号が出力されているかどうかをチェックし、発光開始用信号が出力されていなければステップＳ１０２に戻り、上記したステップを繰り返す。一方、発光開始用信号が出力されているならばステップＳ１１８へ進む。
【００６６】
ステップＳ１１８へ進むと、不図示の発光開始用素子にトリガ信号を与えてストロボの発光を開始させる。次のステップＳ１１９では、ＣＣＰＵ１９より発光停止用信号が出力されているかどうかをチェックし、発光停止用信号が未だ出力されていなければステップＳ１２０へ進む。なお、上記ステップＳ１１９にて発光停止用信号を検出した場合は直ちにステップＳ１２１へ進む。
【００６７】
ステップＳ１２０では、ストロボが適正発光量まで発光したかどうかをチェックし、ストロボが適正発光量まで発光していない場合にはステップＳ１１９に戻り、上記したステップを繰り返す。一方、ストロボが適正発光量まで発光した場合にはステップＳ１２１へ進み、不図示の発光停止用素子にトリガ信号を与えてストロボの発光を停止する。この後ステップＳ１０２へ戻り、上記したステップを繰り返す。
【００６８】
上記ステップＳ１１５にて昇圧回路６が昇圧した電圧が発光素子５の発光に必要な電圧レベルにまで達していないと判定した場合には、上記したようにステップＳ１２２へ進む。そして、充電未完信号を出力してストロボの発光準備ができていないことをＣＣＰＵ１９に知らせる。その後はステップＳ１０２へ戻り、上記したステップを繰り返す。
【００６９】
上記の実施例１によれば、ストロボ装置１とカメラ２とを備えるカメラシステムであって、カメラ２は、ストロボ装置１に対してレンズの焦点距離情報とアパーチャサイズ情報とを出力する情報出力手段を有する。ストロボ装置１は、ストロボ光の照射角を変更する照射角変更手段と、カメラ２から焦点距離情報とアパーチャサイズ情報を入力する情報入力手段を有する。ストロボ装置１は、更に、焦点距離情報とアパーチャサイズ情報とに基づいてストロボ光の照射角を変更するための第１の制御を行うか、焦点距離情報のみでストロボ光の照射角を変更するための第２の制御かを選択する照射角変更動作選択手段を有する。
【００７０】
なお、情報出力手段は、図３のステップＳ６の動作を行うＣＣＰＵ１９である。また、照射角変更手段は、照射角調整用モータ８であり、情報入力手段は、図５のステップＳ１０３，１０４，１０８，１０９の動作を行うＦＰＵ９である。また、照射角変更動作選択手段は、図５のステップＳ１０８の動作を行うＦＰＵ９である。また、第１の制御は、図５のステップＳ１０９→Ｓ１１０→Ｓ１１３→Ｓ１１４の処理を行う部分に相当し、第２の制御は、図５のステップＳ１１１→Ｓ１１２→Ｓ１１３→Ｓ１１４の処理を行う部分に相当する。したがって、上記第２の制御における“焦点距離情報のみ”には、アパーチャサイズ情報を１倍（基準値）とする場合も含まれる。
【００７１】
ストロボ装置１は、更に、第１の制御を行う第１の制御手段（ＦＰＵ９）を有すると共に、上記情報出力手段および情報入力手段を介してアパーチャサイズ情報の通信がなされていない場合は、第２の制御を行う第２制御手段（ＦＰＵ９）を有する。
【００７２】
これにより、焦点距離情報のみがわかっていればアパーチャサイズ情報によらず、焦点距離情報のみでストロボ光の照射角を制御することができる。よって、従来のように以前の情報が保持されることはなく、ストロボ照射角の不適正さを低減することができる。つまり、適正な照射角によるストロボ光の照射を行うことのできるストロボ装置１もしくはカメラシステムを提供可能となる。
【００７３】
また、焦点距離情報を表示する表示手段（表示器７）を備えることで、撮影レンズ３の実際の焦点距離と相違しないことを視認でき、使用者に混乱を与えるなどの事態を回避できる。
【実施例２】
【００７４】
以下に本発明の実施例２に係わるカメラシステムについて説明する。なお、カメラシステムの構成は実施例１と同様であるので、その説明は省略する。
【００７５】
本発明の実施例２は、照射角変更動作選択手段により焦点距離情報とアパーチャサイズ情報とに基づいてストロボ光の照射角変更を行う第１の制御が選択されているが、ストロボ装置１の情報入力手段による通信が一定期間受信不能であるものとする。この場合、制御手段（ＦＰＵ９）は、アパーチャサイズ情報によらず、焦点距離情報のみで第２の制御を行う構成にしている。
【００７６】
図６を用いて、本発明の実施例２におけるＦＰＵ９での具体的な動作（ストロボ制御動作）について説明する。なお、図５のフローチャートと異なる部分は、ステップＳ１０２とステップＳ１０３の間にステップＳ１２３をおき、ステップＳ１２４を追加し、ステップＳ１０７とステップＳ１０８の間にステップＳ１２５をおき、条件を追加したことである。その他は、図５と同様であるのでその説明は省略する。
【００７７】
ステップＳ１０２では、昇圧回路６を動作開始させて発光の準備を行う。そして、次のステップＳ１２３にて、カメラ２のＣＣＰＵ１９から通信ラインＳＣを介してＦＰＵ９に通信（ストロボ装置１の情報入力手段による通信（受信））が一定期間できたかどうかを確認する。そして、ストロボ通信を一定期間確認できたらステップＳ１０３へ進み、一定期間受信不能な場合はステップＳ１２４へ進む。
【００７８】
ステップＳ１２４へ進むと、ストロボ通信が一定期間受信していないことを示す通信ＮＧ＿ＦＬＧを立て、ステップＳ１０６へ進む。
【００７９】
ステップＳ１０７では、アパーチャサイズ情報に基づいてストロボ光の照射角を制御するモードであるかそれを解除しているかを、図１３に示されるスイッチ回路２４内のスイッチＷ３のオン、オフで判定する。オンをしている場合は解除されているのでステップＳ１１３へ進み、オフであれば解除されていないのでステップＳ１２５へ進む。
【００８０】
ステップＳ１２５へ進むと、通信ＮＧ＿ＦＬＧが立っているか否かを判定し、立っていればステップＳ１１１へ進み、立っていなければステップＳ１０８へ進む。
【００８１】
上記実施例２によれば、ストロボ装置１の情報入力手段（図６のステップＳ１２３の動作を行うＦＰＵ９）による通信が一定期間受信不能であるとする。この場合には、ステップＳ１２４にて通信ＮＧ＿ＦＬＧが立って、ステップＳ１２５からステップＳ１１１へ処理を進めるようにしている。
【００８２】
よって、ストロボ装置１の情報入力手段による通信が一定期間受信不能であっても、焦点距離情報のみがわかっていればアパーチャサイズ情報によらず、焦点距離情報のみでストロボ光の照射角を制御することができる。よって、実施例１と同様、適正な照射角によるストロボ光の照射を行うことができるストロボ装置１もしくはカメラシステムとすることができる。
【実施例３】
【００８３】
以下に本発明の実施例３に係わるカメラシステムについて説明する。なお、カメラシステムの構成は実施例１と同様であるので、その説明は省略する。
【００８４】
本発明の実施例３は、焦点距離情報とアパーチャサイズ情報とに基づいてストロボ光の照射角変更を行う第１の制御が選択されているが、ストロボ装置１の発光モードが特定のモードであるものとする。この場合、制御手段（ＦＰＵ９）は、アパーチャサイズ情報によらず、焦点距離情報のみで第２の制御を行う構成にしている。
【００８５】
図７を用いて、本発明の実施例３におけるＦＰＵ９の具体的な動作（ストロボ制御動作）について説明する。なお、図７において、図５のフローチャートと異なる部分は、ステップＳ１０７とステップＳ１０８の間にステップＳ１２６をおき、条件を追加したことである。その他は、図５と同様であるのでその説明は省略する。
【００８６】
ステップＳ１０７では、アパーチャサイズ情報に基づいてストロボ光の照射角を制御するモードであるかそれを解除しているかを、図１３に示されるスイッチ回路２４内のスイッチＳＷ３のオン、オフで判定する。オンをしている場合は解除されているのでステップＳ１１３へ進み、オフであれば解除されていないのでステップＳ１２６へ進む。
【００８７】
ステップＳ１２６では、図１３に示されるスイッチ回路２４内の発光モード選択スイッチＭＯＤＥ＿ＳＷ、その選択を決定するためのスイッチＳＥＬ−ＳＥＴ＿ＳＷにより、マニュアル外部調光が設定されたとする。この場合はステップＳ１１１へ進み、マニュアル外部調光設定以外の場合はステップＳ１０８へ進む。
【００８８】
上記実施例３によれば、ストロボ装置１の発光モードがマニュアル外部調光モードといった単独で使用される可能性のある特定のモードが選択されていたとする。この場合、ストロボ通信が行われない場合が想定され、カメラ２から切り離してスレーブ状態で使われる可能性が高い。このため、ステップＳ１２６にて、発光モードが特定のモード（マニュアル外部調光モード）であるか否かを判定し、そうであればステップＳ１２６からステップＳ１１１へ処理を進めるようにしている。
【００８９】
よって、ストロボ装置１の発光モードがマニュアル外部調光モードのような特定のモードが選択されていたとしても、上記実施例１と同様の効果を得ることができる。つまり、従来のように以前のアパーチャサイズ情報が保持されることはなく、焦点距離情報のみで適正な照射角によるストロボ光の照射を行うことができる。
【実施例４】
【００９０】
以下に本発明の実施例４に係わるカメラシステムについて説明する。なお、カメラシステムの構成は実施例１と同様であるので、その説明は省略する。
【００９１】
本発明の実施例４は、焦点距離情報とアパーチャサイズ情報とに基づいてストロボ光の照射角変更を行う第１の制御が選択されているが、ストロボ装置１のシンクロターミナル接続回路２６にシンクロコード１００等の接続を検出したものとする。この場合、制御手段（ＦＰＵ９）は、アパーチャサイズ情報によらず、焦点距離情報のみで第２の制御を行う構成にしている。
【００９２】
図８を用いて、本発明の実施例４におけるＦＰＵ９の具体的な動作（ストロボ制御動作）について説明する。なお、図８において、図５のフローチャートと異なる部分は、ステップＳ１０７とステップＳ１０８の間にステップＳ１２７をおき、条件を追加したことである。その他は、図５と同様であるのでその説明は省略する。
【００９３】
ステップＳ１０７では、アパーチャサイズ情報に基づいてストロボ光の照射角を制御するモードであるかそれを解除しているかを、図１３に示されるスイッチ回路２４内のスイッチＳＷ３のオン、オフで判定する。オンをしている場合は解除されているのでステップＳ１１３へ進み、オフであれば解除されていないためにステップＳ１２７へ進む。
【００９４】
ステップＳ１２７では、シンクロターミナル接続回路２６へのシンクロコード１００等の接続を検出しているか否かを、図１３に示されるシンクロターミナル接続回路２６に具備されるスイッチシンクロターミナル検出＿ＳＷのオン、オフをＦＰＵ９で判定する。オンしている場合はシンクロターミナル接続回路２６へのシンクロコード１００等の接続を検出しているのでステップＳ１１１へ進み、オフであれば接続されていないのでステップＳ１０８へ進む。
【００９５】
上記実施例４によれば、ストロボ装置１のシンクロターミナル接続回路２６にシンクロコード１００等が接続されて単独で使用される可能性があるとする。この場合、ストロボ通信が行われない場合が想定され、カメラ２から切り離してスレーブ状態で使われる可能性が高い。このような場合、ステップＳ１２７にて、シンクロターミナル接続回路２６への接続が検出されているか否かを判定し、検出されていればステップＳ１２７からステップＳ１１１へ処理を進めるようにしている。
【００９６】
よって、ストロボ装置１のシンクロターミナル接続回路２６にシンクロコード１００等が接続されていたとしても、上記実施例１と同様の効果を得ることができる。つまり、従来のように以前のアパーチャサイズ情報が保持されることはなく、焦点距離情報のみで適正な照射角によるストロボ光の照射を行うことができる。
【実施例５】
【００９７】
以下に本発明の実施例５に係わるカメラシステムについて説明する。なお、カメラシステムの構成は実施例１と同様であるので、その説明は省略する。
【００９８】
本発明の実施例５は、焦点距離情報とアパーチャサイズ情報とに基づいてストロボ光の照射角変更を行う第１の制御が選択されているが、ストロボ装置１にスレーブ発光動作を行うための機器の接続を検出したものとする。この場合、制御手段（ＦＰＵ９）は、アパーチャサイズ情報によらず、焦点距離情報のみで第２の制御を行う構成にしている。
【００９９】
図９を用いて、本発明の実施例５におけるＦＰＵ９の具体的な動作（ストロボ制御動作）について説明する。なお、図９において、図５のフローチャートと異なる部分は、ステップＳ１０７とステップＳ１０８の間にステップＳ１２８をおき、条件を追加したことである。その他は、図５と同様であるのでその説明は省略する。
【０１００】
ステップＳ１０７では、アパーチャサイズ情報に基づいてストロボ光の照射角を制御するモードであるかそれを解除しているかを、図１３に示されるスイッチ回路２４内のスイッチＳＷ３のオン、オフで判定する。オンをしている場合は解除されているのでステップＳ１１３へ進み、オフであれば解除されていないためにステップＳ１２８へ進む。
【０１０１】
ステップＳ１２８では、外部ストロボアクセサリーであるスレーブ制御機器１０１がストロボ装置１に接続されていることを検出しているか判定する。詳しくは、図１３に示される外部ストロボアクセサリーインターフェース回路２７に具備されるスイッチＥＸＴＯＮ＿ＳＷのオン、オフをＦＰＵ９で判定する。オンしている場合はスレーブ制御機器１０１の接続を検出しているためにステップＳ１１１へ進み、オフであれば接続されていないのでステップＳ１０８へ進む。
【０１０２】
上記実施例５によれば、ストロボ装置１にスレーブ制御機器１０１の接続を検出している場合は単独で使用される可能性がある。この場合、ストロボ通信が行われない場合が想定され、カメラ２から切り離してスレーブ状態で使われる可能性が高い。このような場合、ステップＳ１２８にて、スレーブ制御機器１０１の接続が検出されているか否かを判定し、検出されていればステップＳ１２８からステップＳ１１１へ処理を進めるようにしている。
【０１０３】
よって、ストロボ装置１にスレーブ制御機器１０１が接続されていたとしても、上記実施例１と同様の効果を得ることができる。つまり、従来のように以前のアパーチャサイズ情報が保持されることはなく、焦点距離情報のみで適正な照射角によるストロボ光の照射を行うことができる。
【０１０４】
また、スレーブ制御機器が、図１３に示されるシンクロターミナル接続回路２６によりシンクロコード１００を介して接続されても同様である。
【実施例６】
【０１０５】
以下に本発明の実施例６に係わるカメラシステムについて説明する。なお、カメラシステムの構成は実施例１と同様であるので、その説明は省略する。
【０１０６】
本発明の実施例６は、焦点距離情報とアパーチャサイズ情報とに基づいてストロボ光の照射角変更を行う第１の制御が選択されているが、ストロボ装置１の情報入力手段によるアパーチャサイズ情報通信がなされていないとする。この場合、ＦＰＵ９は、自動ズーム動作（照射角変更を自動で行う動作）を止め、手動ズーム動作（照射角変更を手動で行わせる動作）に切り替える構成にしている。
【０１０７】
図１０を用いて、本発明の実施例６におけるＦＰＵ９の具体的な動作（ストロボ制御動作）について説明する。なお、図１０において、図５のフローチャートと異なる部分は、ステップＳ１１１，Ｓ１１２とステップＳ１２９，Ｓ１３０，Ｓ１３１の処理を置き換え、ステップＳ１３１からステップＳ１１５へ進むようにしたものである。その他は、図５と同様であるのでその説明は省略する。
【０１０８】
ステップＳ１０７では、アパーチャサイズ情報に基づいてストロボ光の照射角を制御するモードであるかそれを解除しているかを、図１３に示されるスイッチ回路２４内のスイッチＳＷ３のオン、オフで判定する。オンをしている場合は解除されているのでステップＳ１１３へ進み、オフであれば解除されていないのでステップＳ１２９へ進む。
【０１０９】
ステップＳ１２９では、アパーチャサイズ情報（倍率情報）を１倍にして自身のメモリ内に記憶し、手動操作に基づいて照射角を変更する手動ズームモードを切り替える。ステップＳ１３０では、表示器７のセグメント１０２を消灯させる。同時に表示器７のセグメント１０３に、カメラ２より自動的にストロボズームを動作させる“ＡＵＴＯ”の表示に代えてストロボ単体でズーム位置を決める手動ズームモードの“Ｍ”を表示させる。そして、ステップＳ１３１へ進む。スイッチ回路２４内の任意の手動ズーム位置に設定を行うためのスイッチＭ−ＺＯＯＭ＿ＳＷが押されたとする。すると、ズーム位置（照射角）がステップで変わり（押しつづけて変化しても良い）、スイッチＳＥＬ−ＳＥＴ＿ＳＷが押されるとズーム位置が決定する。その後はステップＳ１１５へ進む。
【０１１０】
上記実施例６によれば、照射角変更動作選択手段によりアパーチャサイズ情報による制御が選択されているが、ストロボ装置１の情報入力手段によるアパーチャサイズ情報の通信がなされていないとする。この場合は、ステップＳ１２９にて自動ズーム動作を止め、手動ズーム動作に切り替えるようにしている。
【０１１１】
よって、ストロボ装置１の情報入力手段によるアパーチャサイズ情報の通信が不能な場合でも、上記実施例１と同様の効果を得ることができる。つまり、ストロボ照射角の不適正が低減させることができる。
【実施例７】
【０１１２】
以下に本発明の実施例７に係わるカメラシステムについて説明する。なお、カメラシステムの構成は実施例１と同様であるので、その説明は省略する。
【０１１３】
本発明の実施例７は、焦点距離情報とアパーチャサイズ情報とに基づいてストロボ光の照射角変更を行う第１の制御が選択されているが、ストロボ装置１の情報入力手段による通信が一定期間受信不能であるものとする。この場合、制御手段（ＦＰＵ９）は、自動ズーム動作を止め、手動ズーム動作に切り替える構成にしている。
【０１１４】
図１１を用いて、本発明の実施例７におけるＦＰＵ９の具体的な動作（ストロボ制御動作）について説明する。なお、図１１において、実施例２である図６のフローチャートと異なる部分は、ステップＳ１１１，Ｓ１１２とステップＳ１２９，Ｓ１３０，Ｓ１３１の処理を置き換え、ステップＳ１３１からステップＳ１１５へ進むようにしたものである。その他は、図６と同様であるものとする。
【０１１５】
ステップＳ１０７では、アパーチャサイズ情報に基づいてストロボ光の照射角を制御するモードであるかそれを解除しているかを、図１３に示されるスイッチ回路２４内のスイッチＳＷ３のオン、オフで判定する。オンをしている場合は解除されているのでステップＳ１１３へ進み、オフであれば解除されていないのでステップＳ１２９へ進む。
【０１１６】
ステップＳ１２９では、図９のステップＳ１２９と同様、アパーチャサイズ情報（倍率情報）を１倍にして自身のメモリ内に記憶し、手動ズームモードに切り替える。ステップＳ１３０では表示器７のセグメント１０２を消灯させる。同時に、表示器７のセグメント１０３に、カメラ２より自動的にストロボズームを動作させる“ＡＵＴＯ”の表示に代えてストロボ単体でズーム位置を決める手動ズームモードの“Ｍ”を表示させる。そしてステップＳ１３１へ進む。スイッチ回路２４内の任意の手動ズーム位置に設定を行うためのスイッチＭ−ＺＯＯＭ＿ＳＷが押されたとする。すると、ズーム位置（照射角）がステップで変わり（押しつづけて変化しても良い）、スイッチＳＥＬ−ＳＥＴ＿ＳＷが押されるとズーム位置が決定する。その後はステップＳ１１５へ進む。
【０１１７】
上記実施例７によれば、照射角変更動作選択手段によりアパーチャサイズ情報による制御手段が選択されているが、ストロボ装置１の情報入力手段による通信が一定期間受信不能であるとする。この場合は、自動ズーム動作を止め、ステップＳ１２９にて手動ズーム動作に切り替えるようにしている。
【０１１８】
よって、ストロボ装置１の情報入力手段による通信が一定期間受信不能な場合でも、上記実施例２と同様の効果を得ることができる。つまり、ストロボ照射角の不適正が低減させることができる。
【実施例８】
【０１１９】
以下に本発明の実施例８に係わるカメラシステムについて説明する。なお、カメラシステムの構成は実施例１と同様であるので、その説明は省略する。
【０１２０】
本発明の実施例８は、焦点距離情報とアパーチャサイズ情報とに基づいてストロボ光の照射角変更を行う第１の制御が選択されているが、ストロボ装置１の情報入力手段による通信が一定期間受信不能であるものとする。この場合、ＦＰＵ９は、自動ズーム動作を止め、手動ズームモードの選択状態で決定を待機する動作に切り替える構成にしている。
【０１２１】
図１２を用いて、本発明の実施例８におけるＦＰＵ９の具体的な動作（ストロボ制御動作）について説明する。なお、図１２において、実施例７である図１１のフローチャートと異なる部分は、ステップＳ１２９とステップＳ１３０の処理をステップＳ１３２とステップＳ１３３の処理に置き換えたものである。その他は、図１１と同様であるものとする。
【０１２２】
ステップＳ１０７では、アパーチャサイズ情報に基づいてストロボ光の照射角を制御するモードであるかそれを解除しているかを、図１３に示されるスイッチ回路２４内のスイッチＳＷ３のオン、オフで判定する。オンをしている場合は解除されているのでステップＳ１１３へ進み、オフであれば解除されていないのでステップＳ１３０へ進む。
【０１２３】
ステップＳ１３２では、アパーチャサイズ情報（倍率情報）を１倍にして自身のメモリ内に記憶し、手動ズームモードを選択する。そして、表示器７のセグメント１０３に、カメラ２より自動的にストロボズームを動作させる“ＡＵＴＯ”の表示に代えてストロボ単体でズーム位置を決める手動ズームモードの“Ｍ”を点滅表示させる。そして、スイッチ回路２４内のスイッチＳＥＬ−ＳＥＴ＿ＳＷが押されると決定する待機状態とする。その後、スイッチＳＥＬ−ＳＥＴ＿ＳＷが押されると、ステップＳ１３１で手動ズームモードの選択を決定し、手動ズームモード動作を開始する。スイッチ回路２４内の任意の手動ズーム位置に設定を行うためのスイッチＭ−ＺＯＯＭ＿ＳＷが押されたとする。すると、ズーム位置（照射角）がステップで変わり（押しつづけて変化しても良い）、スイッチＳＥＬ−ＳＥＴ＿ＳＷが押されるとズーム位置が決定する。その後はステップＳ１１５へ進む。
【０１２４】
上記実施例８によれば、照射角変更動作選択手段によりアパーチャサイズ情報による制御が選択されているが、ストロボ装置１の情報入力手段による通信が一定期間受信していないとする。この場合は、自動ズーム動作を止め、ステップＳ１３２にて手動ズームモードの選択状態で待機する動作に切り替えるようにしている。
【０１２５】
よって、ストロボ装置１の情報入力手段による通信が一定期間受信不能な場合でも、上記実施例７と同様の効果を得ることができる。つまり、ストロボ照射角の不適正が低減させることができる。なお、図１０のステップＳ１２９，Ｓ１３０，Ｓ１３を、図１２のステップＳ１３２，Ｓ１３３，Ｓ１３１に置き換えて、実施例６のようにすることもできる。
【０１２６】
最後に、上記実施例１ないし８の効果を以下にまとめて列挙する。
【０１２７】
１）カメラ２とストロボ装置１間で適正な通信が出来ないような場合、焦点距離情報のみがわかっていれば、アパーチャサイズ情報によらず、焦点距離情報のみでストロボ光の照射角を制御する第２の制御を選択するようにしている。よって、以前の情報が保持されることはなく、ストロボ照射角（配光角）の不適正が低減する。
【０１２８】
２）カメラ２からストロボ装置１が外されて、ストロボ装置１の情報入力手段による通信が一定期間受信不能なような場合は、自動ズーム動作を止め、手動ズーム動作に切り替えるようにしている。よって、ストロボ配光角の不適正が低減する。
【０１２９】
３）また、シンクロターミナル接続回路２６へのシンクロコードの接続もしくはスレーブ制御機器（マスターストロボの発光に同期する）の接続を検出したとする。この際、アパーチャサイズ情報を用いた第１の制御が選択されていても、アパーチャサイズ情報によらず、焦点距離情報のみでストロボ光の照射角を制御する第２の制御手段を選択するようにしている。よって、ストロボ配光角の不適正が低減する。
【０１３０】
４）カメラ２とストロボ装置１間で適正な通信が出来なかった、もしくは、カメラ２からストロボ装置１が外された場合、従来は表示手段での表示が上記状態前の情報のためにズーム位置が適正でないことを撮影者はわからない。このため、本来のストロボ照射角より狭くなって撮影した画像の周辺が暗くなってしまうといったことがあった。この点に鑑み、本実施例では、上記１）ないし３）の動作に加えて、焦点距離情報を表示するようにしている。よって、ストロボ照射角の不適正を撮影者に認識させることができる。
【０１３１】
なお、本発明は、上記実施例１ないし８の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行することによっても、同様の効果を得ることができることは言うまでもない。
【０１３２】
本発明を上記記憶媒体に適用する場合、その記憶媒体には、先に説明した図３〜図１２の各フローチャートの処理を実行する制御プログラムや各種テーブルが格納されることになる。これらのプログラムコードは、例えば、アップデート可能なファームウェアとしても提供可能である。
【０１３３】
（本発明と実施例の対応）
本発明において、本発明の照射角変更手段は照射角調整用モータ８に、情報入力手段は図５などのステップＳ１０３，Ｓ１０４，Ｓ１０８，Ｓ１０９を実行するＦＰＵ９に、表示手段は表示器７に、それぞれ相当する。
【０１３４】
請求項１の本発明において、第１の制御手段は図５などのステップＳ１０９からステップＳ１１４までのルーチンを実行するＦＰＵ９に、第２の制御手段はステップＳ１１１からステップＳ１１４までのルーチンを実行するＦＰＵ９に、それぞれ相当する。そして、照射角変更動作選択手段は図５のステップＳ１０８、図６のステップＳ１２５、図７のステップＳ１２６、図８のステップＳ１２７または図９のステップＳ１２８に相当する。また、アパーチャサイズ情報に無縁な環境とは、前記情報入力手段を介してカメラからの前記アパーチャサイズ情報が入力されていない状態（実施例１）、カメラとの間で定められた期間受信不能となっている状態（実施例２）を指す。さらに、ストロボ装置単独で発光制御が可能な発光モード（実施例３）、シンクロターミナルにシンクロコードが接続されている状態（実施例４）、スレーブ発光動作を行うための機器が接続されている状態（実施例５）などを指す。
【０１３５】
請求項３の本発明において、自動ズーム動作制御手段は図１０などのステップＳ１０９からステップＳ１１４までのルーチンを実行するＦＰＵ９に相当する。手動ズーム動作制御手段は図１０、図１１のステップＳ１２９からステップＳ１３１までのルーチンまたは図１２のステップＳ１３２からステップＳ１３１までのルーチンを実行するＦＰＵ９に相当する。そして、照射角変更動作選択手段は図１０のステップＳ１０８または図１１のステップＳ１２５に相当する。また、アパーチャサイズ情報に無縁な環境とは、前記情報入力手段を介してカメラからの前記アパーチャサイズ情報が入力されていない状態（実施例６）、カメラとの間で定められた期間受信不能となっている状態（実施例７）を指す。
【図面の簡単な説明】
【０１３６】
【図１】本発明の実施例１ないし８に係るカメラ及びストロボ装置から成るカメラシステムの概略を示す構成図である。
【図２】図１のストロボ装置に搭載された表示器の表示例を示す図である。
【図３】本発明の実施例１に係わるカメラの動作を示すフローチャートである。
【図４】図３の続きの動作を示すフローチャートである。
【図５】本発明の実施例１に係わるストロボ装置の制御動作を示すフローチャートである。
【図６】本発明の実施例２に係わるストロボ装置の制御動作を示すフローチャートである。
【図７】本発明の実施例３に係わるストロボ装置の制御動作を示すフローチャートである。
【図８】本発明の実施例４に係わるストロボ装置の制御動作を示すフローチャートである。
【図９】本発明の実施例５に係わるストロボ装置の制御動作を示すフローチャートである。
【図１０】本発明の実施例６に係わるストロボ装置の制御動作を示すフローチャートである。
【図１１】本発明の実施例７に係わるストロボ装置の制御動作を示すフローチャートである。
【図１２】本発明の実施例８に係わるストロボ装置の制御動作を示すフローチャートである。
【図１３】図１のストロボ装置におけるスイッチ回路、シンクロターミナル接続回路、外部ストロボアクセサリーインターフェース回路の詳細を示す構成図である。
【図１４】図１のストロボ装置を用いたスレーブ多灯発光システムを説明する図である。
【符号の説明】
【０１３７】
１      ストロボ装置
２      カメラ
３      撮影レンズ
５      発光素子
８      照射角調整用モータ
７      表示器
９      ＦＰＵ（ストロボ制御用マイクロコンピュータ）
１９    ＣＣＰＵ（カメラ制御用マイクロコンピュータ）
２３    ＬＰＵ（レンズ制御用マイクロコンピュータ）
２４    スイッチ回路
２６    シンクロターミナル接続回路
２７    外部ストロボアクセサリーインターフェース回路
１０１  スレーブ制御機器
ＳＷ３  スイッチ
【図１】
2008185700.tif 000003
【図２】
2008185700.tif 000004
【図３】
2008185700.tif 000005
【図４】
2008185700.tif 000006
【図５】
2008185700.tif 000007
【図６】
2008185700.tif 000008
【図７】
2008185700.tif 000009
【図８】
2008185700.tif 000010
【図９】
2008185700.tif 000011
【図１０】
2008185700.tif 000012
【図１１】
2008185700.tif 000013
【図１２】
2008185700.tif 000014
【図１３】
2008185700.tif 000015
【図１４】
2008185700.tif 000016